(57)【要約】【課題】インクジェット記録方式において、高速印刷により、インクのにじみ、裏写りなどが発生することなく、鮮明で画像濃度の高い記録画像を普通紙上に形成する。【解決手段】着色剤、水溶性有機溶剤および水を必須成分として含むインクにおいて、必須成分の含有量および任意成分の種類と含有量を適宜選択することにより、カチオン性樹脂および／または無機微粒子を含有する補助液を塗布した普通紙に対して、初期接触角θが５０度以上および滴下から１００ｍｓｅｃ後までの接触角の変化量（Δθ／１００ｍｓｅｃ）が２．０度以上２０．０度以下になるインクジェット記録インクを調製し、このインクを用いて、前記の補助液が塗布された普通紙上に画像を記録する。【選択図】      図１
2004346159.tif 000002
【特許請求の範囲】
【請求項１】
着色剤、水溶性有機溶剤および水を必須成分とするインク組成物であって、カチオン性樹脂および／または無機微粒子を含有する補助液を塗布した記録媒体に対する初期動的接触角（θ）が５０度以上かつ動的接触角の変化量（Δθ／１００ｍｓｅｃ）が２．０〜２０．０度であることを特徴とするインクジェット記録用インク。
【請求項２】
着色剤、水溶性有機溶剤および水とともに、水分散性樹脂および／または非イオン性界面活性剤を含有することを特徴とする請求項１記載のインクジェット記録用インク。
【請求項３】
着色剤が顔料であることを特徴とする請求項１または２記載のインクジェット記録用インク。
【請求項４】
顔料が自己分散顔料であることを特徴とする請求項３記載のインクジェット記録用インク。
【請求項５】
カチオン性樹脂がポリエチレンイミンであることを特徴とする請求項１〜４のうちのいずれかに記載のインクジェット記録用インク。
【請求項６】
インク組成物を記録媒体に付着させて記録を行うインクジェット記録方法において、記録媒体に、請求項１〜５のうちのいずれかのインクジェット記録用インクとともに、カチオン性樹脂および／または無機微粒子を含有する補助液を付着させることを特徴とするインクジェット記録方法。
【請求項７】
請求項６のインクジェット記録方法によって記録画像が形成された記録媒体であることを特徴とする記録物。
【請求項８】
記録媒体を供給する記録媒体供給手段と、記録媒体供給手段によって供給される記録媒体を搬送する記録媒体搬送手段と、記録媒体搬送手段によって搬送される記録媒体に請求項１〜４のうちのいずれかのインクジェット記録用インクを付着させて記録を行う印刷手段と、印刷手段によって記録画像が形成された記録媒体を排出する排出手段とを含むインクジェット記録装置において、
カチオン性樹脂および／または無機微粒子を含有する補助液を記録媒体に付着させる補助液転写手段を含むことを特徴とするインクジェット記録装置。
【請求項９】
補助液転写手段が、
記録媒体搬送手段に含まれるように、または
記録媒体搬送手段と印刷手段との間に設けられることを特徴とする請求項８記載のインクジェット記録装置。
【発明の詳細な説明】
【０００１】
【発明の属する技術分野】
本発明は、インクジェット記録用インク、インクジェット記録方法および記録物ならびにインクジェット記録装置に関する。
【０００２】
【従来の技術】
最近のインクジェット記録技術では、高集積高精細のノズルを有するヘッドの作製技術の進展に伴い、微小インク液滴の吐出により２４００ｄｐｉ相当以上の高解像の画像を高速印刷することが可能になっている。特に、記録媒体の表面にインク受容層を設けたインクジェット専用紙に記録を行うと、非常に解像度の高い高画質品位の記録画像を得ることができる。しかしながら、最近のインクジェット記録技術をもってしても、普通紙にカラー記録を行うと、隣接するインクドットの境界部においてにじみ（特にフェザリングとよばれるひげ状のにじみ）が発生し、記録画像の鮮明性が損なわれるとともに、インクが普通紙の表層部に留まらず、内部にまで浸透する裏写りが発生し、記録画像の画像濃度が低下する。したがって、得られる記録画像の画質品位は低くなりがちである。
【０００３】
このような問題に鑑み、種々のインクジェット記録方法またはインクジェット記録用インクが提案されている。たとえば、全てのインク吐出孔から同時にインク液滴を吐出するのではなく、インク吐出孔を複数の群に分け、各群毎に間隔を開けてインク液滴を吐出させ、近接するインクドットを同時ではなく別々に記録することによって、にじみなどを防ぐインクジェット記録方法が提案されている（たとえば、特許文献１参照）。しかしながら、この方法では、インクの裏写りを防止するための対策は全く講じられていない。また、インクと記録媒体の取り合わせによっては、にじみが発生するのを充分に避けることができない。さらに、この方法には、記録速度が極端に遅くなるという欠点がある。
【０００４】
また、記録媒体としてサイジングされた紙を用い、かつインク組成物としてサイジングされた紙に対する、滴下５秒後の接触角が４０度以下であるインクを用いるインクジェット記録方法が提案されている（たとえば、特許文献２参照）。しかしながら、インクジェット記録におけるインクは、数十ミリ秒という極めて短い時間で普通紙などの記録媒体に浸透するものであるのに対し、記録媒体へ滴下して５秒を経過した後の接触角を規定することは、にじみ、裏写りなどの発生防止に有効ではない。実際、このようなインクを用いても、にじみ、裏写りなどを充分に防止することはできない。
【０００５】
また、紙に対する動的接触角（前進接触角）が３０度以上（好ましくは３０〜６０度）であるインク（たとえば、特許文献３参照）、紙に対する前進張力が５ｄｙｎｅ／ｃｍ以下であり、かつ動的接触角（前進接触角）が１０〜８０度であるインク（たとえば、特許文献４参照）などが提案されている。これらの従来技術では、紙に対するインクの動的接触角を、紙に対するインクの浸透性（濡れ性）を示す指標として捉え、特定範囲の動的接触角を有するインクが、紙に対する浸透性に優れ、にじみ、裏写りなどの防止に有効であると定義する。しかしながら、これらの従来技術における動的接触角は、インクが紙に接触した直後の初期動的接触角に相当するものであり、このような動的接触角が特定の範囲にあるすべてのインクが、普通紙に対して適切な浸透性を示すわけではない。このことは、本発明の実施例の結果から明らかである。たとえば、後記の表３によれば、普通紙（記録媒体ｄ）に対する初期動的接触角が４８〜７８度であるインク組成物（インクＮｏ．２〜６）を用いて普通紙（記録媒体ｄ）に記録を行うと、画像濃度が低下しかつにじみが発生することが判る。
【０００６】
また、２０℃、６５％ＲＨにおけるステキヒトサイズ度が１０秒以下の普通紙に対して、ブリストー法による濡れ時間が０．２秒以下、前進接触角が４０〜７０度であるインクが提案されている（たとえば、特許文献５参照）。通常、視認可能な大きさの液滴が紙に浸透するに際しては、紙の表面粗さ（表面の凹凸）が大きな影響をおよぼす。液滴の紙への浸透と紙の表面粗さとの関係を示す指標が、ブリストー法による濡れ時間である。しかしながら、現在のインクジェット記録技術では、マイクロリットル量の極微小インク液滴を吐出するので、インク液滴の浸透性が紙の表面粗さに影響されることは非常に少ない。また、普通紙には多種多様なパルプ原料、サイズ剤などが用いられるので、ステキヒトサイズ度が一定の範囲であっても、インク液滴を吸収するという観点での表面粗さが一律であるとは限らない。したがって、インクジェット記録において、インク液滴の浸透性をブリストー法による濡れ時間のみで規定するのは非常に困難である。一方、特許文献５の前進接触角も、初期動的接触角に相当するものであり、特許文献３および４の場合と同様に、インク液滴の浸透性を正しく表わすものではない。このため、特許文献５のインクを用いても、普通紙の種類によっては、にじみを防止することができない。
【０００７】
また、普通紙上での動的接触角の時間変化率が０．５〜３．５度／秒である顔料インクが提案されている（たとえば、特許文献６参照）。しかしながら、インクジェット記録におけるインクは、前述のように極めて短い時間で普通紙に浸透するものであるから、動的接触角の秒単位の変化率を規定することは、にじみ、裏写りなどの発生防止に有効ではない。実際、特許文献６の第１２頁に記載の表１によれば、光学濃度（画像濃度）の低下およびフェザリングの発生を充分に防止できないことが明らかである（実施例１〜３および実施例６〜８）。
【０００８】
さらに、前述の従来のインクを用い、高速でインクジェット記録を実施すると、個々のインクが有する欠点が一層顕著に顕在化し、満足の行く画質品位を有する記録画像を得ることができない。
【０００９】
一方、最近のインクジェット記録では、普通紙に、画質品位が一層向上した記録画像を高速印刷で記録することが求められ、特に、にじみの発生を一層確実に防止することが要望されている。
【００１０】
【特許文献１】
特開平４−２５９５６６号公報
【特許文献２】
特開平６−９２００８号公報
【特許文献３】
特開平６−１３６３０７号公報
【特許公報４】
特開平６−１３６３０８号公報
【特許文献５】
特開平１０−３３０６６６号公報
【特許文献６】
特開２０００−１４４０２８号公報
【００１１】
【発明が解決しようとする課題】
本発明の目的は、記録媒体上に、記録媒体が普通紙であっても、鮮明性および画像濃度が高く、極めて良好な画質品位を有する記録画像を高速印刷で形成することができるインクジェット記録用インク、インクジェット記録方法およびインクジェット記録装置を提供することである。
【００１２】
本発明の他の目的は、記録媒体上、特に普通紙上に、鮮明性および画像濃度が高い高画質品位の記録画像を形成した記録物を提供することである。
【００１３】
【課題を解決するための手段】
本発明者は、上記課題を解決すべく鋭意研究を重ねた結果、従来のインクジェット記録技術のように、記録媒体へのインクの浸透性を記録媒体に対する初期動的接触角または動的接触角の秒単位の変化量のみで規定するのではなく、動的接触角のｍｓｅｃ単位の変化量を含めた形で規定し、また記録媒体にも特定の処理を施して一様なインク吸収特性を付与することによって、記録媒体の種類に関係なく、所望の画質品位を有する記録画像を形成できることを見出し、本発明を完成するに至った。
【００１４】
本発明は、着色剤、水溶性有機溶剤および水を必須成分とするインク組成物であって、カチオン性樹脂および／または無機微粒子を含有する補助液を塗布した記録媒体に対する初期動的接触角（θ）が５０度以上かつ動的接触角の変化量（Δθ／１００ｍｓｅｃ）が２．０〜２０．０度（２．０度以上、２０．０度以下）であることを特徴とするインクジェット記録用インクである。
【００１５】
本発明に従えば、カチオン性樹脂および／または無機微粒子を含有する補助液を塗布することにより特定のインク吸収特性を付与された記録媒体に対して、初期動的接触角および該記録媒体に接触してから１００ｍｓｅｃまでの動的接触角の変化量が特定の範囲にあるインクを用いてインクジェット記録を行うことによって、記録媒体の種類を問わず、にじみ、裏写りなどの発生が充分に防止され、鮮明性に優れ、画像濃度が高く、画質品位が顕著に良好な記録画像を形成することができ、記録画像の画質品位は高速印刷を行っても高い水準で維持される。
【００１６】
また本発明のインクジェット記録用インクは、着色剤、水溶性有機溶剤および水とともに、水分散性樹脂および／または非イオン性界面活性剤を含有することを特徴とする。
【００１７】
本発明に従えば、着色剤、水溶性有機溶剤および水とともに、非イオン性界面活性剤および／または水分散性樹脂を用いることによって、初期動的接触角および動的接触角変化量を前述の範囲に調整するのが非常に容易になる。
【００１８】
また本発明のインクジェット記録用インクは、前述の着色剤が顔料であることを特徴とする。
【００１９】
また本発明のインクジェット記録用インクは、前述の顔料が自己分散顔料であることを特徴とする。
【００２０】
本発明に従えば、本発明のインクジェット記録用インクに含まれる着色剤が顔料であることが好ましく、自己分散顔料であることが特に好ましい。これによって、にじみ、裏写りなどの発生がさらに防止され、得られる記録画像の鮮明性および画像濃度、ひいては画質品位がさらに向上する。
【００２１】
また本発明のインクジェット記録用インクは、前述のカチオン性樹脂がポリエチレンイミンであることを特徴とする。
【００２２】
本発明に従えば、記録媒体を処理する補助液に含まれるカチオン性樹脂がポリエチレンイミンであることが特に好ましい。これによって、にじみ、裏写りなどの発生がさらに防止され、得られる記録画像の鮮明性および画像濃度、ひいては画質品位がさらに向上する。
【００２３】
本発明は、インク組成物を記録媒体に付着させて記録を行うインクジェット記録方法において、記録媒体に、前述のうちのいずれかのインクジェット記録用インクとともに、カチオン性樹脂および／または無機微粒子を含有する補助液を付着させることを特徴とするインクジェット記録方法である。
【００２４】
本発明に従えば、特定の初期動的接触角および動的接触角の変化量を有するインクと、カチオン性樹脂および／または無機微粒子を含有する補助液とを、記録媒体上に存在させることによって、記録媒体の種類を問わず、にじみ、裏写りなどが発生することなく、優れた鮮明性を有し、画像濃度が高く、画質品位が極めて良好な記録画像を、高速印刷で形成することができる。
【００２５】
本発明は、前述のインクジェット記録方法によって記録画像が形成された記録媒体であることを特徴とする記録物である。
【００２６】
本発明に従えば、記録媒体、特に普通紙上に、前述のような高画質品位の記録画像が形成されたインクジェット記録物が提供される。
【００２７】
本発明は、記録媒体を供給する記録媒体供給手段と、記録媒体供給手段によって供給される記録媒体を搬送する記録媒体搬送手段と、記録媒体搬送手段によって搬送される記録媒体に前述のインクジェット記録用インクを付着させて記録を行う印刷手段と、印刷手段によって記録画像が形成された記録媒体を排出する排出手段とを含むインクジェット記録装置において、
カチオン性樹脂および／または無機微粒子を含有する補助液を記録媒体に付着させる補助液転写手段を含むことを特徴とするインクジェット記録装置である。
【００２８】
また本発明のインクジェット記録装置は、前述の補助液転写手段が、
記録媒体搬送手段に含まれるように、または
記録媒体搬送手段と印刷手段との間に設けられることを特徴とする。
【００２９】
本発明に従えば、前述のインクジェット記録方法を実施するのに適したインクジェット装置が提供される。この装置を用いることによって、前述のような高画質品位の記録画像を高速印刷で記録媒体、特に普通紙上に形成することができる。
【００３０】
【発明の実施の形態】
［インクジェット記録用インク］
本発明のインクジェット記録用インク（以後単に「インク」と呼ぶ）はカチオン性樹脂および／または無機微粒子を含有する補助液を塗布した記録媒体に対する初期動的接触角θが５０度以上、好ましくは５０〜８５度であり、かつ動的接触角の変化量（Δθ／１００ｍｓｅｃ）が２〜２０．０度、好ましくは５〜１５度であることを特徴とする。
【００３１】
初期動的接触角θが５０度未満では、記録媒体上でのインクの横方向へのモーメントが高くなり、記録媒体を構成する繊維にそって横方向への浸透が生じ、ドットが大きくなり過ぎ、色濃度が低くなり、鮮明な記録画像が得られ難くなるので好ましくない。
【００３２】
動的接触角の変化量が２度未満では、インクの記録媒体上での乾燥性が低下し、記録媒体に付着したインクが他の物品との接触によってその物品に転写され、記録媒体上に形成された記録画像が損なわれる可能性がある。２０度を超えると、にじみおよび裏写りの発生が顕著になり、さらには異なる色のインクが記録媒体上で混じり合う混色が発生し、記録画像の鮮明性および画像濃度が著しく低くなる。
【００３３】
本発明において、動的接触角は２５℃、６０％ＲＨの環境下にＤＡＴ装置（Ｆｉｂｒｏ社製）によって測定した。「初期動的接触角θ」は、前述の補助液を０．２５ｇ／ｍ２の割合で塗布し、室温で乾燥させた普通紙に２μｌのインク液滴を滴下した直後の動的接触角である。また、「動的接触角の変化量（Δθ／１００ｍｓｅｃ）」は、前述の補助液を０．２５ｇ／ｍ２の割合で塗布し、室温で乾燥させた普通紙にインク液滴２μｌを滴下した直後から１００ｍｓｅｃ後まで間に、１０ｍｓｅｃごとに測定した動的接触角の総和である。この総和には、インク液滴を滴下した直後および１００ｍｓｅｃ後の動的接触角が含まれている。なお、接触角は、液層内角度とも称される。
【００３４】
本発明のインクは、着色剤および水溶性有機溶剤および水を必須成分とする組成物である。すなわち、本発明インクは、着色剤および水溶性有機溶剤を含み、かつ残部が水であるインク組成物である。
【００３５】
本発明のインクは、着色剤、水溶性有機溶剤および水とともに、水分散性樹脂および／または非イオン性界面活性剤を含んでいてもよい。
【００３６】
着色剤としては、染料および顔料を使用できる。
染料としては公知の水溶性染料を使用でき、たとえば、酸性染料、直接染料、反応性染料などが挙げられる。染料の具体例をカラーインデックスナンバー（ＣＩ）で示すと、アシッドブルー７、９、２９、４５、９２、２４９、ダイレクトブルー１、２、６、１５、２２、２５、７１、７６、７９、８６、９０、９８、１６３、１６５、１９９、２０２、リアクティブブルー１、２、７、１４、１５、２３、３２、３８、４１、６３、８０、９５などの青系染料、アシッドレッド１、８、１３、１４、１８、２６、２７、３５、３７、４２、５２、８２、８７、８９、９２、９７、１０６、１１１、１１４、１１５、１３４、１８６、２４９、２５４、２８９、ダレクトレッド１、４、９、１３、１７、２０、２８、３１、３９、８０、８１、８３、８９、２２５、２２７、ダイレクトオレンジ２６、２９、６２、１０２、リアクティブレッド１、１４、１７、２５、２６、３２、３７、４４、４６、５５、６０、６６、７４、７９、９６、９７、１４１、１４７、１８１などの赤系染料、アシッドイエロー１、７、１７、２３、４２、４４、７９、１４２、ダイレクトイエロー１、１２、２４、２６、３３、４４、５０、８６、１２０、１３２、１４２、１４４、リアクティブイエロー１、５、１１、１３、１４、２０、２１、２２、２５、４０、４７、５１、５５、６５、６７などの黄色系染料、フードブラック２、ダイレクトブラック１９、２２、３２、３８、５１、５６、７１、７４、７５、７７、１５４、１６８、１７１、リアクティブブラック３、４、７、１１、１２、１７などの黒色染料などが挙げられる。これらの中でも、耐水性、耐光性、人体に対する安全性などに優れるものが好ましい。染料は１種を単独で使用できまたは２種以上を適宜組み合わせて用いることができる。染料の含有量は特に制限されず、染料そのものの種類、記録媒体に塗布される補助液の組成、染料以外にインク中に含まれる成分とその含有量などの各種条件に応じて広い範囲から適宜選択できるけれども、インク中における常温下での染料の溶解安定性、得られる記録画像の画像濃度などを考慮すると、通常はインク全量の０．１〜１０重量％、好ましくは０．１〜８重量％である。
【００３７】
顔料としては、公知の無機顔料および有機顔料を使用できる。無機顔料としては、たとえば、酸化チタン、酸化鉄、コンタクト法、ファーネス法、サーマル法などの公知の方法によって製造されるカーボンブラックなどが挙げられる。また、有機顔料の具体例をカラーインデックスナンバー（ＣＩ）で示すと、たとえば、ピグメントブルー１、２、１５、１５：１、１５：２、１５：３、１５：４、１５：６、１６、１７、２２、２１、２２、６０、６４などの青系顔料、ピグメントレッド１、２、３、５、１０、１６、２３、３０、３１、４８：１、４８：２、４９：１、５２、５３：１、５７：１、５８：４、６３、１２２、２０９、ピグメントバイオレッド１９などの赤系顔料、ピグメントイエロー３、１２、１３、１４、１５、２３、５５、７４、８３、９３、９５、９７、１２８、１３８、１５０、１５４、１６７、１８０、１９３などの黄色系顔料などが挙げられる。これらの中でも、人体に対する安全性が高いものを使用するのが好ましい。
【００３８】
また、本発明においては、水との親和性が良好な自己分散顔料を使用してもよい。自己分散顔料は、顔料に化学的処理および／または物理的処理を施し、顔料表面を親水性に改質することによって製造できる。化学的処理には公知の方法を採用することができ、たとえば、酸処理（例えば、大気下、湿式で、発煙硫酸やクロロスルホン酸で直接処理する方法）、シラン化合物などのカップリング剤による処理、顔料表面に親水性ポリマーをグラフト化する処理などが挙げられる。物理的処理にも公知の方法を採用でき、たとえば、反応性プラズマガス中での暴露（具体的には、真空下で低圧酸素ガスのグロー放電プラズマ中に暴露する方法）、顔料と有機溶剤との混合物にハイスピードミキサーなどで高速せん断を加える方法などが挙げられる。なお、表面に処理の際に、分解または変色する顔料があるので、処理条件を最適化すると共に、表面処理に対して耐性のある顔料を選定することが重要である。
【００３９】
顔料は１種を単独で使用できまたは２種以上を適宜組み合わせて用いることができる。
【００４０】
顔料の含有量は特に制限されず、顔料そのものの種類、記録媒体に塗布される補助液の組成、顔料以外にインク中に含まれる成分とその含有量などの各種条件に応じて広い範囲から適宜選択できるけれども、増粘によるインクの吐出安定性の低下、得られる記録画像の画像濃度などを考慮すると、通常はインク全量の０．１〜１０重量％、好ましくは０．１〜８重量％である。
【００４１】
このような着色剤の中でも、得られる記録画像の鮮明性などを考慮すると、顔料が好ましく、表面処理を施され、表面に親水性が付与された顔料（自己分散顔料）が特に好ましい。
【００４２】
水溶性有機溶剤は、たとえば、インクの記録媒体に対する浸透性および塗工性を向上させるために使用される。水溶性有機溶剤としては公知のものを使用でき、たとえば、ジメチルホルムアミド、ジメチルアセトアミドなどのアミド類、ポリエチレングリコール、ポリプロピレングリコール、エチレングリコール、ジエチレングリコール、チオジグリコール、プロピレングリコール、トリエチレングリコール、１，５−ペンタンジオール、１，４−ブタンジオール、１，２−ヘキサンジオール、１，３−プロパンジオールなどのグリコール類、グリセリン、１，２，６−ヘキサントリオールなどの３価以上の多価アルコール類、エチレングリコールモノメチルエーテル、エチレングリコールモノブチルエーテル、ジエチレングリコールモノメチルエーテル、ジエチレングリコールモノエチルエーテル、トリエチレングリコールモノブチルエーテル、プロピレングリコールモノエチルエーテル、テトラエチレングリコールモノメチルエーテル、エチレングリコールモノフェニルエーテルなどのグリコールエーテル類、スルホラン、ジメチルスルホキシドなどの硫黄含有化合物、２−ピロリドン、Ｎ−メチルピロリドン、ε−カプロラクタムなどの窒素含有ヘテロ環化合物、γ−ブチロラクトンなどの酸素含有ヘテロ環化合物、ジメチルアミノエタノール、ジエチルアミノエタノール、トリエタノールアミン、モルホリンなどの多官能化合物などが挙げられる。水溶性有機溶剤は、１種を単独で使用できまたは２種以上を適宜組み合わせて用いることができる。水溶性有機溶剤の含有量は特に制限されず、水溶性有機溶剤そのものの種類、記録媒体に塗布される補助液の組成、水溶性有機溶剤以外にインク中に含まれる成分とその含有量などの各種条件に応じて広い範囲から適宜選択できるけれども、記録媒体に対して適度な浸透性および乾燥性を付与することを考慮すると、通常インク全量の１０〜７０重量％、好ましくは１０〜５０重量％である。ただし、水溶性有機溶剤よりも水を多く含む補助液を得ようとする場合は、水溶性有機溶剤の含有量は、補助液全量の１０〜４０重量％、好ましくは１０〜３０重量％である。
【００４３】
水分散性樹脂は、たとえば、着色剤の記録媒体上での定着性を向上させるために用いられる。水分散性樹脂としては、公知のものを使用でき、たとえば、水に分散可能なポリエステル樹脂、アクリル樹脂、スチレン−アクリル共重合体、マレイン酸樹脂、ポリウレタン樹脂などが挙げられる。市販の水分散性樹脂を使用することもでき、たとえば、日本ペイント（株）製のマイクロジェル（商品名、水分散性スチレン−アクリル系樹脂）、大日本インキ化学工業（株）製のボンコート（商品名、水分散性スチレン−アクリル系樹脂）、東洋紡績（株）製のバイロナール（商品名、水分散性ポリエステル樹脂）、ジョンソンポリマー社製のジョンクリル（商品名、エマルジョンタイプ）などが挙げられる。これらの中でも、水分散性ポリエステル樹脂、水分散性アクリル樹脂などが好ましい。水分散性樹脂は１種を単独で使用できまたは必要に応じて２種以上を併用できる。水分散性樹脂の含有量は特に制限されず、水分散性樹脂そのものの種類、記録媒体に塗布される補助液の組成、水分散性樹脂以外にインク中に含まれる成分とその含有量などの各種条件に応じて広い範囲から適宜選択できるけれども、水分散性樹脂の添加効果が充分に発揮され、かつインクの吐出安定性、保存安定性（保存時にインク成分の凝集・沈殿などが起こらないこと）などを損なわないようにするには、通常はインク全量の０．０１〜３０重量％、好ましくは０．１〜２０重量％である。
【００４４】
非イオン性界面活性剤は、たとえば、インクの記録媒体に対する浸透性をさらに向上させることなどを目的として用いられる。非イオン性界面活性剤としては公知のものを使用でき、その中でも、たとえば、一般式
【００４５】
【化１】
2004346159.tif 000003
【００４６】
〔式中、ｄおよびｅはそれぞれ、０≦ｄ＋ｅ≦３０の関係を満たす０または０〜３０の正数を示す。〕
で表されるアセチレングリコール・エチレンオキシド付加物、一般式
【００４７】
【化２】
2004346159.tif 000004
【００４８】
〔式中、ｆは１１〜１３の整数を示す。ｇは３〜３０の整数を示す。〕
で表されるエチレンオキシド化合物、一般式
【００４９】
【化３】
2004346159.tif 000005
【００５０】
〔式中、ｈおよびｉはそれぞれ０〜１１の整数を示す。ｊは３〜５０の整数を示す。〕
で表されるエチレンオキシド化合物、一般式
【００５１】
【化４】
2004346159.tif 000006
【００５２】
〔式中、ｑは５〜９の整数を示す。ｒは２．５〜５の正数を示す。ｋおよびｌはそれぞれ、９≦ｋ＋ｌ≦１１の関係を満たす０〜１１の整数を示す。〕
で表されるエチレンオキシド・プロピレンオキシド化合物、一般式
ＨＯ（ＣＨ２ＣＨ２Ｏ）ｓ（ＣＨ２ＣＨ２ＣＨ２Ｏ）ｔ（ＣＨ２ＣＨ２Ｏ）ｕＨ    （５）
〔式中、ｓは０〜１８の整数を示す。ｔは２〜１５の整数を示す。ｕは０〜１８の整数を示す。〕
で表されるエチレンオキシド・プロピレンオキシド化合物などのエチレンオキシド含有非イオン性界面活性剤が好ましい。本発明では、市販の非イオン性界面活性剤を使用することもでき、たとえば、サーフィノール（商品名、エアープロダクツ社製）、ソフタノールＥＰ（商品名、（株）日本触媒製）などが挙げられる。なお、サーフィノールは日信化学（株）からも市販されている。非イオン性界面活性剤は１種を単独で使用できまたは２種以上を併用できる。非イオン性界面活性剤の含有量は特に制限されず、非イオン性界面活性剤そのものの種類、記録媒体に塗布される補助液の組成、非イオン性界面活性剤以外にインク中に含まれる成分とその含有量などの各種条件に応じて広い範囲から適宜選択できるけれども、通常はインク全量の０．００１〜５重量％、好ましくは０．００１〜３重量％である。
【００５３】
さらに本発明インクは、水溶性樹脂、浸透剤、湿潤剤、ｐＨ調整剤、親水親油バランスに優れる溶剤、低沸点有機溶剤などから選ばれる１種または２種以上を含んでいてもよい。
【００５４】
水溶性樹脂は、たとえば、着色剤を高い彩度で発色させること、着色剤を定着させた記録媒体が他の記録媒体などと擦過する際に着色剤が剥落するのを防止すること（耐擦過性の向上）などを目的として用いられる。また、着色剤が充分な親水性を持たない有機顔料である場合には、該有機顔料の分散剤としても機能する。水溶性樹脂としては、顔料の高彩度発色、耐擦過性の向上などに有効な公知のものを使用でき、たとえば、カルボキシル基を有する酸価５０〜３００（好ましくは２５〜８０）の親水性樹脂、スチレン単位および／またはα−メチルスチレン単位を３５％以上含有する重量平均分子量が２０００〜２００００（好ましくは２５００〜１５０００）の親水性重合体などが挙げられる。より具体的には、たとえば、スチレン−アクリル酸共重合体、スチレン−α−メチルスチレン−アクリル酸共重合体、スチレン−アクリル酸−アクリル酸エステル（好ましくはアルキル部分の炭素数が１〜４程度のアクリル酸アルキルエステル）共重合体、スチレン−メタクリル酸−アクリル酸エステル（好ましくはアルキル部分の炭素数が１〜４程度のアクリル酸アルキルエステル）共重合体、ポリビニルアルコール、ポリビニルピロリドンなどが挙げられる。また、水溶性樹脂として、規制重合型水溶性樹脂を使用できる。規制重合型水溶性樹脂とは、顔料の官能基と水素結合または共有結合が可能な官能基を分子の末端または中間に有し、かつ分子末端に親水基を有し、たとえば、交互共重合体、ブロック共重合体などのような、構成単位が規則正しく配列する構造を有する水溶性樹脂である。規制重合型水溶性樹脂の具体例としては、たとえば、ソルスパースＳ２００００、Ｓ２７０００、Ｓ１２０００、Ｓ２２０００、Ｓ２４０００ＧＲ、Ｓ２６０００、Ｓ２８０００、Ｓ１３２４０、Ｓ５０００（いずれも商品名、ゼネカ社製）などが挙げられる。水溶性樹脂は１種を単独で使用できまたは２種以上を適宜組み合わせて用いることができる。水溶性樹脂の含有量は特に制限されず、広い範囲から適宜選択できるけれども、耐擦過性を向上させる効果を充分に発揮させること、増粘によるインク成分の凝集、沈降などを防止することなどを考慮すると、通常はインク全量の１〜１５重量％、好ましくは２〜８重量％である。
【００５５】
浸透剤は、インクの表面表力を低下させる作用を有し、たとえば、インクの記録媒体上での乾燥を速め、記録媒体上で着色剤、特に顔料を均一に分散させて定着させ、また記録媒体が普通紙である場合に、インクのにじみが発生するのを防止するといった効果を示す。浸透剤としてはインクの表面張力を低下させる作用を有する公知の化合物を使用でき、たとえば、エチレングリコール−ｎ−ブチルエーテル、ジエチレングリコール−ｎ−ブチルエーテル、トリエチレングリコール−ｎ−ブチルエーテル、プロピレングリコール−ｎ−ブチルエーテル、ジプロピレングリコール−ｎ−ブチルエーテルなどのグリコールエーテル類、パーフルオロアルキルスルホン酸塩（たとえば、アンモニウム塩、カリウム塩）、パーフルオロアルキルカルボン酸塩（たとえば、カリウム塩）などのアニオン性フッ素系界面活性剤、パーフルオロアルキルポリオキシエチレンエタノール、パーフルオロアルキルアルコキシレート、フッ素化アルキルエステルなどの非イオン性フッ素系界面活性剤などが挙げられる。なお、ここに例示するグリコールエーテル類の一部は、水溶性有機溶剤のグリコールエーテル類と一部重複する。重複するグリコールエーテル類は水溶性有機溶剤および浸透剤のいずれにも使用できる。浸透剤は１種を単独で使用できまたは２種以上を適宜組み合わせて用いることができる。浸透剤の含有量は特に制限されず、広い範囲から適宜選択できるけれども、記録媒体上でのインクの乾燥を速めること、にじみ防止効果を充分に発揮させることなどを考慮すると、通常はインク全量の０．１〜５重量％、好ましくは０．５〜４重量％である。
【００５６】
湿潤剤は、たとえば、保存中のインクにおいてインク成分特に着色剤が凝集、沈降するのを防止すること（保存安定性の向上）、着色剤の記録媒体への定着性をさらに向上させること、インクの乾燥による吐出ノズルの目詰まりを防止することなどを目的として用いられる。湿潤剤としては、たとえば、ジエチレングリコール、ポリエチレングリコール、ポリプロピレングリコール、テトラプロピレングリコール、ペンタエチレングリコール、ヘキサエチレングリコール、ヘプタエチレングリコール、オクタエチレングリコール、エチレングリコール、プロピレングリコール、ブチレングリコール、トリエチレングリコール、１，２，６−ヘキサントリオール、チオグリコール、ヘキシレングリコール、トリメチロールエタン、トリメチロールプロパンなどが挙げられる。ここに例示する湿潤剤の一部は、水溶性有機溶剤のグリコール類および多価アルコール類と重複する。重複する湿潤剤は水溶性有機溶剤および湿潤剤の両方に使用できる。湿潤剤の含有量は特に制限されず、広い範囲から適宜選択できるけれども、通常はインク全量の０．５〜４０重量％である。
【００５７】
ｐＨ調整剤は、たとえば、インクの乾燥による吐出ノズルなどの目詰まりを防止することなどを目的として用いられる。ｐＨ調整剤としては、たとえば、尿素、２−ピロリドン、Ｎ−メチル−２−ピロリドン、１，３−ジメチル−イミダゾリジノン、ジエタノールアミン、トリエタノールアミンなどの窒素含有化合物が挙げられる。ここに例示するｐＨ調整剤の一部は水溶性有機溶剤と重複する。重複するｐＨ調整剤は、水溶性有機溶剤およびｐＨ調整剤の両方に使用できる。ｐＨ調整剤の含有量は特に制限されず、広い範囲から適宜選択できるけれども、通常はインク全量の１〜１０重量％である。
【００５８】
親水親油バランスに優れる溶剤としては、たとえば、水溶性有機溶剤として例示したグリセリンのほかに、ジグリセリン、ポリグリセリンなどが挙げられる。このような溶剤は１種を単独で使用できまたは２種以上を併用できる。その含有量は特に制限されず、広い範囲から適宜選択できるけれども、通常はインク全量の２〜２０重量％である。
【００５９】
低沸点有機溶剤としては公知のものを使用でき、その中でも、一価アルコールが好ましい。一価アルコールとしては、たとえば、メタノール、エタノール、ｎ−プロパノール、ｉｓｏ−プロパノール、ｎ−ブタノール、ｓｅｃ−ブタノール、ｔｅｒｔ−ブタノール、ｉｓｏ−ブタノール、ｎ−ペンタノールなどの１級、２級、３級アルコールが挙げられる。低沸点有機溶剤は１種を単独で使用できまたは２種以上を併用できる。低沸点有機溶剤の含有量は特に制限されず、広い範囲から適宜選択できるけれども、通常はインク全量の０．５〜１０重量％、好ましくは１．５〜６重量％である。
【００６０】
さらに本発明のインクには、インクの諸物性を改善するために、必要に応じて適当な物性調整剤を添加することができる。物性調整剤としては、例えば、粘度調整剤、防カビ剤、防腐剤などが挙げられる。
【００６１】
本発明のインクは、着色剤および水溶性有機溶剤の適量、ならびに必要に応じて水溶性樹脂、浸透剤、湿潤剤、ｐＨ調整剤、親水親油バランスに優れる溶剤、低沸点有機溶剤、その他の物性調整などのそれぞれ適量を用い、また全量が１００重量％になる量の水を用い、これらの成分を水に溶解または分散させ、さらに必要に応じて、常圧、減圧または加圧下にろ過を行うことによって調製することができる。
【００６２】
溶解または分散は、通常の分散機を用いて行われる。該分散機としては、たとえば、ディスパ、サンドミル、ホモジナイザ、ボールミル、ビーズミル、ペイントシェーカ、超音波分散機などが挙げられる。また、攪拌用の羽根を備えている攪拌機、高速の分散機、乳化機などを用いてもよい。
【００６３】
ろ過には、たとえば、孔径０．８μｍ以下のフィルタ、孔径０．４５μｍ以下のフィルタなどが用いられる。
【００６４】
本発明においては、必須成分である着色剤および水溶性有機溶剤の種類および含有量を適宜選択し、さらに必要に応じて任意成分を適宜選択して添加することによって、初期動的接触角および動的接触角の変化量を所定の値に調整することができる。
【００６５】
任意成分の中でも、特に、非イオン性界面活性剤および／または水分散性樹脂を添加し、その含有量を好ましくは前述のそれぞれの含有量範囲から適宜選択することによって、初期動的接触角および動的接触角の値を調整することが一層容易になる。
【００６６】
具体的には、たとえば、着色剤として顔料または自己分散顔料、水溶性有機溶剤としてグリコール類（好ましくは２種以上のグリコール類）と多価アルコール類、またはグリコール類と多価アルコール類とグリコールエーテル類、非イオン性界面活性剤および必要に応じて水分散性樹脂をそれぞれ用い、多価アルコール類１００重量部に対して、他の水溶性有機溶剤をそれらの合計量として通常１００〜７００重量部、好ましくは１２０〜４５０重量部、より好ましくは１５０〜４００重量部用い、これらの成分を水に分散させることによって、所定の初期動的接触角および動的接触角の変化量を有する本発明のインクを得ることができる。
【００６７】
本発明インクの初期動的接触角および動的接触角の変化量を測定するために、記録媒体に塗布される補助液は、カチオン性樹脂および／または無機微粒子を含有し、残部が水である組成物である。
【００６８】
カチオン性樹脂としては公知のカチオン性基を有する樹脂を使用でき、たとえば、ポリエチレンイミン、ポリビニルアルコール、ポリビニルピロリドン、これらの誘導体などが挙げられる。カチオン性樹脂の分子量は特に制限されないけれども、２００００〜２００００００程度の重量平均分子量を有するものが好ましい。カチオン性樹脂は１種を単独で使用できまたは２種以上を併用できる。カチオン性樹脂の含有量は特に制限されず、カチオン性樹脂そのものの種類、補助液中のカチオン性樹脂以外の成分および含有量、本発明インクの組成、記録媒体の材質などの各種条件に応じて広い範囲から適宜選択できるけれども、塗布液操作性、塗布後の用紙の使用性などを考慮すると、通常は補助液全量の０．１〜２０重量％、好ましくは５〜１２重量％である。
【００６９】
無機微粒子としては特に制限されず、公知の粉末状無機化合物を使用でき、たとえば、シリカ、アルミナ、アルミナ水和物、チタニア、ジルコニア、ボリア、シリカボリア、セリア、マグネシア、シリカマグネシア、炭酸カルシウム、炭酸マグネシウム、酸化亜鉛、ハイドロタルサイト、これらをカチオン化した無機微粒子などが挙げられる。無機微粒子の粒径は特に制限されないけれども、２〜１０μｍ程度のものを使用するのが好ましい。無機微粒子は１種を単独で使用できまたは２種以上を併用できる。無機微粒子の含有量は特に制限されず、無機微粒子そのものの種類、補助液中の無機微粒子以外の成分および含有量、本発明インクの組成、記録媒体の材質などの各種条件に応じて広い範囲から適宜選択できるけれども、記録媒体の種類に関係なく着色剤を発色させること、補助液の保存安定性、補助液を液体用吐出ノズルから記録媒体に吐出する場合の吐出安定性などを考慮すると、通常は補助液全量の０．１〜４０質量％、好ましくは１〜３０質量％、より好ましくは３〜１５質量％である。
【００７０】
補助液は、塩を含んでいてもよい。塩は、たとえば、補助液のｐＨ安定性などを目的として用いられる。塩としては水に溶解して電離する公知の水溶性塩を使用でき、たとえば、アルカリ金属、アルカリ土類金属、アルミニウムなどの塩化物、炭酸塩、酢酸塩、硫酸塩、硝酸塩、亜硫酸塩、亜硝酸塩などが挙げられる。その具体的としては、たとえば、塩化ナトリウム、塩化カリウム、塩化リチウム、塩化アンモニウム、塩化カルシウム、塩化マグネシウム、塩化バリウムなどの塩化物、炭酸カルシウム、炭酸マグネシウム、炭酸バリウム、炭酸ナトリウム、炭酸リチウム、炭酸アンモニウムなどの炭酸塩、酢酸ナトリウム、酢酸カリウム、酢酸リチウムなどの酢酸塩、硫酸ナトリウム、硫酸カリウム、硫酸アルミニウムなどの硫酸塩などが挙げられる。塩は１種を単独で使用できまたは２種以上を併用できる。塩の含有量は特に制限されず、塩そのものの種類、補助液中の塩以外の成分および含有量、本発明インクの組成、記録媒体の材質などの各種条件に応じて広い範囲から適宜選択できるけれども、通常は補助液全量の０．１〜２０重量％、好ましくは１〜１０重量％である。また、塩を含む緩衝液を用いることができる。緩衝液の含有量は特に制限されず、所望の効果が得られるように、緩衝液の種類に応じて適宜選択すればよい。
【００７１】
補助液は界面活性剤を含んでいてもよい。界面活性剤は、たとえば、補助液の記録媒体への浸透性、定着性などを向上させ、補助液が塗布された記録媒体上の記録画像の画質品位を一層向上させることなどを目的として用いられる。界面活性剤としては、紙に対する浸透性が高いものが好ましく、たとえば、脂肪酸塩類、高級アルコール硫酸エステル塩類、液体脂肪油硫酸エステル塩類、アルキルアリルスルホン酸塩類などのアニオン性界面活性剤、ポリオキシエチレンアルキルエーテル類、ポリオキシエチレンアルキルエステル類、ポリオキシエチレンソルビタンアルキルエステル類、アセチレンアルコール、アセチレングリコールなどの非イオン性界面活性剤などが挙げられる。これらの界面活性剤は１種を単独で使用できまたは２種以上を併用できる。界面活性剤の含有量は特に制限されず、界面活性剤そのものの種類、補助液中の界面活性剤以外の成分および含有量、本発明インクの組成、記録媒体の材質などに応じて広い範囲から適宜選択できるけれども、通常は補助液全量の０．０２〜１．０重量％、好ましくは０．０５〜０．５重量％である。
【００７２】
補助液は、さらにグリコール類、１級アルコール類、水分散性樹脂などを含んでいてもよい。これらは、本発明インクの成分として挙げたのと同様のものを使用できる。グリコール類および／または１級アルコール類の含有量は特に制限されないけれども、通常は補助液全量の５〜２０重量％である。水分散性樹脂の含有量も特に制限されないけれども、通常は補助液全量の固形分量で３〜１０重量％である。
【００７３】
補助液は、カチオン性樹脂および／または無機微粒子、ならびに必要に応じて塩、界面活性剤、グリコール類、１級アルコール類、水分散性樹脂などのそれぞれ適量を用い、さらに前記の成分と合わせて全量が１００重量％になる量の水を用い、前記の成分を水に分散および／または溶解させることにより、通常は前記の成分を１時間程度水に分散および／または溶解させることにより得ることができる。分散および溶解には、本発明のインクを分散または溶解させるのに用いられる装置を使用できる。
【００７４】
補助液を塗布する記録媒体としては特に制限されず、従来からインクジェット記録に適用される記録媒体を使用できる。記録媒体の具体例としては、たとえば、たとえば、普通紙、コート紙（カラーコピー用紙、インクジェット用紙など）、光沢紙などのパルプ原料を含む一般的な紙系記録媒体が挙げられる。
【００７５】
補助液を記録媒体に塗布するに際しては、液状物を固形物の表面に塗布する公知の方法を採用できる。該方法としては、たとえば、ハケ塗り、ロールコーター法、ブレードコーター法、エアナイフコーター法、バーコーター法、サイズプレス法、スプレーコート法、グラビアコーター法、カーテンコーター法などが挙げられる。インク吐出ノズルと同様の吐出ノズルから記録媒体に補助液を吐出してもよい。さらには、記録媒体を補助液に浸漬し、補助液を含浸させてもよい。記録媒体に対する補助液の塗布量は特に制限されず、補助液の組成、記録媒体の材質、インク組成などに応じて広い範囲から適宜選択できるけれども、補助液塗布後の記録媒体に形成される記録画像の画質品位、鮮明度、画像濃度などを考慮すると、通常は固形分量として１．０〜４．０ｇ／ｍ２、好ましくは１．５〜３．０ｇ／ｍ２である。
【００７６】
〔インクジェット記録方法〕
本発明のインクジェット記録方法は、インクジェット方式によってインク組成物を記録媒体に付着させて記録を行う方法であって、記録媒体に、本発明のインクジェット記録用インクとともに、カチオン性樹脂および／または無機微粒子を含有する補助液を付着させることを特徴とする。
【００７７】
インク組成物としては、前述の、特定範囲の初期動的接触角および動的接触角の変化量を有する本発明のインクジェット記録用インクが使用される。インクの記録媒体への付着は、公知のインクジェット方式に従って、インクを記録媒体に吐出することにより行われる。インクジェット方式としては特に制限されず、公知の方式を採用できる。たとえば、圧電素子を用いるインクジェット方式（ピエゾ方式）、インクに圧力をかけてインクの液滴を吐出するインクジェット方式、膜沸騰現象を利用して気泡を発生させ、インクを吐出するインクジェット方式（サーマル方式）などが挙げられる。これらの中でも、ピエゾ方式、サーマル方式などが好ましい。
【００７８】
記録媒体に付着させる補助液としては、前述の、カチオン性樹脂および／または無機微粒子を含み、さらに塩、界面活性剤、グリコール類、１級アルコール類、水分散性樹脂などを含有してもよい補助液が使用される。補助液の記録媒体への付着は、記録媒体に補助液を塗布するか、またはインクジェット記録装置のインク吐出ノズルの一部を補助液吐出ノズルに割り当て、該補助液吐出ノズルから記録媒体に補助液を吐出することにより行われる。記録媒体への補助液の塗布方法には、液状物を固形物に塗布する一般的な方法が採用でき、たとえば、ロールコーター、エアナイフコーター、ブレードコーター、刷毛塗りなどが挙げられる。また、スプレーコート、ディッピングコート（浸漬）などを行うこともできる。補助液の記録媒体への付着は、インクを記録媒体に付着させる前、付着と同時または付着した後に行われるけれども、インクを記録媒体に付着させる前、付着と同時が好ましく、インクを記録媒体に付着させる前が特に好ましい。
【００７９】
インクと補助液との使用割合は特に制限されず、それぞれの組成中（各成分の種類および含有量）、これらを付着させる記録媒体の種類（材質など）、記録媒体の被印刷面積、インクジェット方式の種類、インクの液滴量、補助液の液滴量などの各種条件に応じて広い範囲から適宜選択できるけれども、一つの目安を挙げれば、たとえば、インクの液滴量が１〜５０ｐｌ程度の場合には、インク１００重量部に対して、通常は補助液を１〜１０７重量部、好ましくは１０〜１０７重量部使用すればよい。
【００８０】
記録媒体としては、従来からインクジェット記録に使用されているものを用いることができ、たとえば、普通紙、コート紙（カラーコピー用紙、インクジェット用紙など）、光沢紙、葉書などのパルプ原料を含む一般的な紙系記録媒体、プラスチックシート、プラスチックフィルムなどが挙げられる。これらの中でも、紙系記録媒体が好ましい。
【００８１】
〔インクジェット記録装置〕
図１は、実施の第１形態であるインクジェット記録装置１の構成を簡略化して示す断面図である。インクジェット記録装置１は、記録媒体８を装置１内に供給するための記録媒体供給手段２と、記録媒体供給手段２によって装置１内部に供給される記録媒体８を搬送するための記録媒体搬送手段３と、記録媒体搬送手段３に含まれるように設けられ、記録媒体８に補助液を付着させるための補助液転写手段４と、記録媒体搬送手段３によって搬送されかつ補助液転写手段４によって補助液を付着させた記録媒体８に、色材を含むインク組成物を付着させて画像を記録するための印刷手段５と、印刷手段５によって記録画像が形成された記録画像８を装置１の外へ排出するための排出手段６とを含んで構成され、図１中矢符９で示す記録媒体８の搬送方向に上流側から下流側に向かってこの順序で配置される。
【００８２】
記録媒体給紙手段２は、記録媒体８を収容する給紙トレイ７と、給紙トレイ７の下流側に配置される給紙ローラ１０とおよび分離板１１を含んで構成される。
【００８３】
記録媒体搬送手段３は、２つのガイド板１２，１８と、ガイド板１８の下流に配置される一対の搬送ローラ１９とを含んで構成され、ガイド板１２とガイド板１８との間には、補助液転写手段４が設けられている。
【００８４】
補助液転写手段４は、支持ローラ１３と、転写ローラ１４と、グラビアローラ１５と、インクパン１６とを含んで構成され、インクパン１６には、グラビアローラ１５のグラビア面が補助液１７に浸漬するように、補助液１７が充填される。支持ローラ１３と転写ローラ１４とは、それぞれの面が接触しているけれども、その間を記録媒体８が通過できるように配置される。また転写ローラ１４とグラビアローラ１５とは接触するように配置される。
【００８５】
印刷手段５は、記録媒体８にインク組成物を吐出して付着させるインクヘッド２０と、インクヘッド２０と一体化されかつインクヘッド２０を記録媒体８の印字面８ａに対して移動させるためのインクキャリッジ２２と、インクキャリッジ２２を図面に対して垂直方向に摺動可能に支持するガイドシャフト２３と、記録媒体８を載置するためのプラテン２４とを含んで構成される。
【００８６】
排出手段６は、排出ローラ２５と、排出トレイ２６とを含んで構成される。
以下、本実施の形態の、インクジェット記録装置１の動作について説明する。
【００８７】
インクジェット記録装置１によれば、給紙トレイ７に収容される記録媒体８は、タイミング信号に応じて矢符１０ａの方向に回転する給紙ローラ１０と分離板１１とによって、一枚ずつ分離して記録媒体搬送手段３に供給され、ガイド板１２を介して補助液転写手段４に搬送される。
【００８８】
補助液転写手段４においては、グラビアローラ１５が、図示しない駆動手段によって矢符１５ａの方向に回転すると、インクパン１６に充填されている補助液１７はグラビアローラ１５のグラビア面に浸透し、さらに転写ローラ１４の表面に付着する。転写ローラ１４の表面に付着した補助液１７は、転写ローラ１４がグラビアローラ１５の回転に従動して矢符１４ａの方向に回転することによって、支持ローラ１３と転写ローラ１４との間を通って搬送される記録媒体８に接触し、記録媒体８の印字面８ａの裏面に転写される。その際、記録媒体８は、支持ローラ１３と転写ローラ１４とによって押圧されるので、補助液１７は、確実に、記録媒体８の印字面８ａにまで浸透する。
【００８９】
この様にして補助液を塗布された記録媒体８は、ガイド板１８を介して搬送ローラ１９に供給され、さらに搬送ローラ１９によって印刷部５に搬送され、印字面８ａを上にしてプラテン２４上に載置される。このとき、記録媒体８の印字面８ａには、インクヘッド２０からインク組成物が吐出されて付着し、記録画像が形成される。記録画像が形成された記録媒体８は、排出ローラ２６を介して矢符２７の方向に排出され、排出トレイ２６に収容される。
【００９０】
本実施の形態では、補助液転写手段４は、記録媒体搬送手段３に含まれるように設けられているけれども、これに限定されることなく、搬送ローラ１９と印刷手段５との間に設けられてもよい。
【００９１】
また本実施の形態では、補助液転写手段４と搬送ローラ１９との間、または搬送ローラ１９と印刷手段５との間に、記録媒体８を反転させ、補助液を塗布した面にインク組成物が吐出されるようにするための、記録媒体８の反転手段を設けてもよい。このような反転手段は、公知の方法に従えばよい。
【００９２】
また本発明インクジェット記録装置の別の形態では、一般的なインクジェット記録装置において、複数のインク吐出ノズルの一部を、補助液を吐出するように仕様変更してもよい。さらに、インク用吐出ノズルのほかに、補助液吐出ノズルを新たに配置するようにインクジェット記録装置の仕様を変更してもよい。
【００９３】
［実施例］
以下に実施例および比較例を挙げ、本発明を具体的に説明する。
【００９４】
実施例１および比較例１（インクの調整）
表１に示す割合（重量％）で各成分を混合し、インク組成物を調製した。Ｎｏ．１〜６のインクのうち、Ｎｏ．１〜５は実施例１のインクであり、Ｎｏ．６は比較例１のインクである。
【００９５】
なお、表１において、商品名で記載されている界面活性剤および水分散性樹脂は、具体的には次のとおりである。
【００９６】
〔界面活性剤〕
サーフィノール２５０２：エチレンオキシド含有アセチレン系非イオン界面活性剤、エアープロダクツ社製、
〔水分散性樹脂〕
バイロナールＭＤ１４００：ポリエステルエマルジョン、東洋紡績（株）製
【００９７】
【表１】
2004346159.tif 000007
【００９８】
実施例２および比較例２（記録媒体の製造）
表２に示す割合（重量％）で各成分を混合し、補助液を調製した。この補助液を、転写方式のゴムローラーによって、普通紙（商品名：ＮＭ紙、シャープ（株）製）に塗布量が８ｇ／ｍ２となるように塗布し、記録媒体を製造した。
【００９９】
記録媒体ａ〜ｄのうち、ａ〜ｃは実施例２の記録媒体であり、補助液を塗布しないｄは比較例２の記録媒体である。
【０１００】
【表２】
2004346159.tif 000008
【０１０１】
試験例１
実施例１および比較例１のインク、実施例２および比較例２の記録媒体（Ｎｏ．ａ〜ｄ）を用い、次の方法に従って、動的接触角を測定し、画像評価を行った。結果を表３に示す。
【０１０２】
（１）動的接触角
初期接触角θ０（°）および接触角の変化量Δθ／１００ｍｓｅｃ（°）は、２５℃、６０％ＲＨにおいて、ＤＡＴ装置（Ｆｉｂｒｏ社製）を用いて測定した。具体的には実施例２および比較例２の記録媒体上に実施例１および比較例１のインクの液滴（体積２μｌ）を滴下し、滴下から１００ｍｓｅｃ後まで１０ｍｓｅｃごとに接触角θ（°）を測定し、滴下時の初期接触角θ０および滴下から１００ｍｓｅｃまでの接触角の変化量（Δθ／１００ｍｓｅｃ）を求めた。
【０１０３】
（２）画像評価
インクインクジェットプリンタ（商品名：ＭＣ２０００、セイコーエプソン（株）製）にて、実施例１のインクならびに実施例２および比較例１の記録媒体を用いて高速印刷（６枚／分）を行い、得られた記録画像について下記の評価を行った。
【０１０４】
（画像濃度）
ベタ印字を行い、その画像濃度を測色計（商品名：Ｘ−Ｌｉｔｅ９３８、マクベス社製）によって測定した。画像濃度１．５以上のものを「◎」、１．４以上１．５未満のものを「○」、１．３以上１．４未満のものを「△」、１．３以下のものを「×」と評価した。
【０１０５】
（にじみ）
図１に示すパターンを記録し、このパターンについて、２５℃、６０％ＲＨの環境下で高解像度カメラ（３−ＣＣＤ  Ｃｏｌｏｒ  Ｖｉｓｉｏｎ  Ｃａｍｅｒａ  Ｍｏｄｕｌｅ  ＸＣ−００３、ソニー（株）製）による目視観察を行い、その線にじみ（ＥＲ）の度合いを次の評価基準に基づいて評価した。
【０１０６】
○…線にじみがなく、極めてシャープである（図２（ａ）の状態）。
△…線にじみがわずかに発生し、記録画像の鮮明度が若干低下するが、許容範囲である（図２（ｂ）の状態）。
×…線にじみがひどく、実使用上問題となる水準である（図２（ｃ）の状態）。
【０１０７】
（乾燥性）
印刷終了直後、記録画像が形成された面に普通紙（ＮＭ紙）を１５秒間押し当て、記録画像のインクが転写しないものを「○」、転写するものを「×」と評価した。
【０１０８】
【表３】
2004346159.tif 000009
【０１０９】
表３から、本発明の特有の構成を採る場合には、高速印刷を行っても、普通紙上に、インクにじみのない鮮明な画像を形成することができることが明らかである。
【０１１０】
【発明の効果】
本発明によれば、カチオン性樹脂および／または無機微粒子を含有する補助液を塗布することにより特定のインク吸収特性を付与された記録媒体に対して、初期動的接触角および該記録媒体に接触してから１００ｍｓｅｃまでの動的接触角の変化量が特定の範囲にあるインクを用いてインクジェット記録を行うことによって、記録媒体の種類を問わず、記録媒体が普通紙であっても、にじみ、裏写りなどの発生が充分に防止され、鮮明性に優れ、画像濃度が高く、画質品位が顕著に良好な記録画像を形成することができる。さらに本発明によれば、高速印刷を行っても、得られる記録画像の画質品位はほとんど低下することがなく、非常に高い水準で維持される。
【０１１１】
本発明によれば、着色剤、水溶性有機溶剤および水とともに、非イオン性界面活性剤および／または水分散性樹脂を用い、これらの含有量を調整することによって、初期動的接触角および動的接触角変化量を前述の範囲に調整するのが非常に容易になる。
【０１１２】
本発明によれば、インク中の着色剤として顔料、好ましくは自己分散顔料を用いることによって、にじみ、裏写りなどの発生がさらに防止され、得られる記録画像の鮮明性および画像濃度、ひいては画質品位がさらに向上する。
【０１１３】
本発明によれば、補助液中のカチオン性樹脂としてポリエチレンイミンを用いることによって、にじみ、裏写りなどの発生がさらに防止され、得られる記録画像の鮮明性および画像濃度、ひいては画質品位がさらに向上する。
【０１１４】
本発明によれば、特定の初期動的接触角および動的接触角の変化量を有するインクと、カチオン性樹脂および／または無機微粒子を含有する補助液とを、記録媒体上に存在させることによって、記録媒体が普通紙であっても、にじみ、裏写りなどが発生することなく、優れた鮮明性を有し、画像濃度が高く、画質品位が極めて良好な記録画像を、高速印刷で形成することができるインクジェット記録方法が提供される。
【０１１５】
本発明によれば、記録媒体、特に普通紙上に、前述のような高画質品位の記録画像が形成されたインクジェット記録物が提供される。
【０１１６】
本発明によれば、前述のインクジェット記録方法を実施するのに適したインクジェット装置が提供される。この装置を用いることによって、前述のような高画質品位の記録画像を高速印刷で記録媒体、特に普通紙上に形成することができる。
【図面の簡単な説明】
【図１】本発明のインクジェット記録装置の構成を模式的に示す断面図である。
【図２】画像評価において、にじみの評価基準を示す図面である。
【符号の説明】
１  インクジェット記録装置
２  記録媒体供給手段
３  記録媒体搬送手段
４  補助液転写手段
５  印刷手段
６  排出手段
７  給紙トレイ
８  記録媒体
８ａ  印字面
９，１０ａ，１３ａ，１４ａ，１５ａ，２７，９５，９６，９７  矢符
１０  給紙ローラ
１１  分離板
１２，１８  ガイド板
１３  支持ローラ
１４  転写ローラ
１５  グラビアローラ
１６  インクパン
１７  補助液
１９  搬送ローラ
２０  インクヘッド
２１  ノズルプレート
２２  インクキャリッジ
２３  ガイドシャフト
２４  プラテン
２５  排出ローラ
２６  排出トレイ
【図１】
2004346159.tif 000010
【図２】
2004346159.tif 000011
【手続補正書】
【提出日】平成16年5月21日(2004.5.21)
【手続補正１】
【補正対象書類名】明細書
【補正対象項目名】００４６
【補正方法】変更
【補正の内容】
【００４６】
〔式中、ｄおよびｅはそれぞれ、０≦ｄ＋ｅ≦３０の関係を満たす０または０〜３０の整数を示す。〕
で表されるアセチレングリコール・エチレンオキシド付加物、一般式


【手続補正２】
【補正対象書類名】明細書
【補正対象項目名】００５２
【補正方法】変更
【補正の内容】
【００５２】
〔式中、ｑは５〜９の整数を示す。ｒは２〜５の整数を示す。ｋおよびｌはそれぞれ、９≦ｋ＋ｌ≦１１の関係を満たす０〜１１の整数を示す。〕
で表されるエチレンオキシド・プロピレンオキシド化合物、一般式
ＨＯ(ＣＨ２ＣＨ２Ｏ)ｓ(ＣＨ２ＣＨ２ＣＨ２Ｏ)ｔ(ＣＨ２ＣＨ２Ｏ)ｕＨ    （５）
〔式中、ｓは０〜１８の整数を示す。ｔは２〜１５の整数を示す。ｕは０〜１８の整数を示す。〕
で表されるエチレンオキシド・プロピレンオキシド化合物などのエチレンオキシド含有非イオン性界面活性剤が好ましい。本発明では、市販の非イオン性界面活性剤を使用することもでき、たとえば、サーフィノール（商品名、エアープロダクツ社製）、ソフタノールＥＰ（商品名、（株）日本触媒製）などが挙げられる。なお、サーフィノールは日信化学（株）からも市販されている。非イオン性界面活性剤は１種を単独で使用できまたは２種以上を併用できる。非イオン性界面活性剤の含有量は特に制限されず、非イオン性界面活性剤そのものの種類、記録媒体に塗布される補助液の組成、非イオン性界面活性剤以外にインク中に含まれる成分とその含有量などの各種条件に応じて広い範囲から適宜選択できるけれども、通常はインク全量の０．００１〜５重量％、好ましくは０．００１〜３重量％である。


【手続補正３】
【補正対象書類名】明細書
【補正対象項目名】００９２
【補正方法】変更
【補正の内容】
【００９２】
また本発明のインクジェット記録装置の別の形態では、一般的なインクジェット記録装置において、複数のインク吐出ノズルの一部を、補助液を吐出するように仕様変更してもよい。さらに、インク用吐出ノズルのほかに、補助液吐出ノズルを新たに配置するようにインクジェット記録装置の仕様を変更してもよい。


【手続補正４】
【補正対象書類名】明細書
【補正対象項目名】００９４
【補正方法】変更
【補正の内容】
【００９４】
実施例１および比較例１（インクの調整）
表１に示す割合（重量％）で各成分を混合し、インク組成物を調製した。Ｎｏ．１〜６のインクのうち、Ｎｏ．２〜６は実施例１のインクであり、Ｎｏ．１は比較例１のインクである。